(57)【要約】【課題】部品点数が少なく構造が簡単で組み立てが容易で薄型化が図れる複合スイッチを提供する。【解決手段】両端が固定側部材（ケース２３０，基台１０）に取り付けられ且つ中央のスイッチ設置部１３１が固定側部材に対して上下動自在に設置される取付台１３０と、スイッチ設置部１３１の両端側上面に設置される側部スイッチ１７５と、スイッチ設置部１３１の中央下面側に配置される第１，第２中央スイッチ４３，１０７と、揺動自在に取付台１３０上方に配置されるキートップ２００とを有する。キートップ２００を揺動した際は側部スイッチ１７５が押圧され、キートップ２００と共にスイッチ設置部１３１を下降した際は第１，第２中央スイッチ４３，１０７が押圧される。【選択図】図２
2009238503.tif 000002
【特許請求の範囲】
【請求項１】
両端が固定側部材に取り付けられ且つ中央のスイッチ設置部が固定側部材に対して上下動自在に設置される取付台と、
前記スイッチ設置部の両端側上面に設置される側部スイッチと、
前記スイッチ設置部の中央下面側に配置される中央スイッチと、
揺動自在に前記取付台上方に配置されるキートップとを有し、
前記キートップが揺動した際は側部スイッチを押圧し、またキートップと共に取付台のスイッチ設置部が下降した際は中央スイッチを押圧することを特徴とする複合スイッチ。
【請求項２】
前記取付台は、中央のスイッチ設置部の両端に上下方向に可撓性を有する薄板帯状の連結部を介して固定側部材に取り付けられる取付部が設けられ、これによって両取付部に対してスイッチ設置部を上下動自在としたことを特徴とする請求項１に記載の複合スイッチ。
【請求項３】
前記複合スイッチはその上部が前記キートップの上面を露出する開口を有するケースによって覆われており、
前記キートップの両側辺の揺動中心軸の位置から突出する軸部を前記ケースに設けた上側軸受部と前記取付台に設けた下側軸受部の間に挟んで設置することでキートップを揺動自在に保持したことを特徴とする請求項１または２に記載の複合スイッチ。
【請求項４】
前記キートップの軸部の少なくとも一方は上下面が平面状であり、これら上下面が前記上側軸受部と下側軸受部に挟まれていることを特徴とする請求項３に記載の複合スイッチ。
【請求項５】
前記ケースの上側軸受部と前記取付台の下側軸受部の部分には、ケースに対して取付台のスイッチ設置部が上下方向に平行移動するのをガイドする凹凸からなるガイド部が設けられていることを特徴とする請求項３または４に記載の複合スイッチ。
【発明の詳細な説明】
【技術分野】
【０００１】
本発明は、キートップを揺動することでスイッチをオンすると共に、このキートップを真下に押圧することで別のスイッチをオンする構造の複合スイッチに関するものである。
【背景技術】
【０００２】
デジタルカメラなどの操作スイッチとして、揺動自在に設置したキートップ表面の左右何れかの部分を押圧することでキートップを揺動させてカメラのズーム操作を行い、またそのキートップ表面の中央部分を垂直（真下）に押圧することでピント合せを行ない、さらに押し込むことでシャッターをオンする構造のものが要望されている。つまり揺動自在のキートップを有するシーソー型スイッチの下部に、キートップの中央部分を押圧することで操作できるスイッチ（特に二段スイッチ）を設置してなる複合スイッチが要望されている。
【０００３】
そして従来、この種の機構を有する複合スイッチとして、例えば特許文献１に示す多方向押圧型スイッチなどがあった（但しキートップの中央を押圧したときに操作されるスイッチは前記二段スイッチではなく一段スイッチである）。
【０００４】
しかしながら特許文献１の多方向押圧型スイッチは、操作つまみ（キートップ）（１００）を揺動した際に揺動する揺動操作型物（８０）と、操作つまみ（１００）を真上から押圧した際に下降する押圧操作型物（４０）とが別部品として必要であり、部品点数が多く、構造が複雑で、組み立ても煩雑であった。また厚み方向の薄型化が図れない。
【特許文献１】特開２００５−１９３１４号公報
【発明の開示】
【発明が解決しようとする課題】
【０００５】
本発明は上述の点に鑑みてなされたものでありその目的は、部品点数が少なくて構造が簡単で組み立てが容易で薄型化が図れる複合スイッチを提供することにある。
【課題を解決するための手段】
【０００６】
本願請求項１に記載の発明は、両端が固定側部材に取り付けられ且つ中央のスイッチ設置部が固定側部材に対して上下動自在に設置される取付台と、前記スイッチ設置部の両端側上面に設置される側部スイッチと、前記スイッチ設置部の中央下面側に配置される中央スイッチと、揺動自在に前記取付台上方に配置されるキートップとを有し、前記キートップが揺動した際は側部スイッチを押圧し、またキートップと共に取付台のスイッチ設置部が下降した際は中央スイッチを押圧することを特徴とする複合スイッチにある。
【０００７】
本願請求項２に記載の発明は、前記取付台は、中央のスイッチ設置部の両端に上下方向に可撓性を有する薄板帯状の連結部を介して固定側部材に取り付けられる取付部が設けられ、これによって両取付部に対してスイッチ設置部を上下動自在としたことを特徴とする請求項１に記載の複合スイッチにある。
【０００８】
本願請求項３に記載の発明は、前記複合スイッチはその上部が前記キートップの上面を露出する開口を有するケースによって覆われており、前記キートップの両側辺の揺動中心軸の位置から突出する軸部を前記ケースに設けた上側軸受部と前記取付台に設けた下側軸受部の間に挟んで設置することでキートップを揺動自在に保持したことを特徴とする請求項１または２に記載の複合スイッチにある。
【０００９】
本願請求項４に記載の発明は、前記キートップの軸部の少なくとも一方は上下面が平面状であり、これら上下面が前記上側軸受部と下側軸受部に挟まれていることを特徴とする請求項３に記載の複合スイッチにある。
【００１０】
本願請求項５に記載の発明は、前記ケースの上側軸受部と前記取付台の下側軸受部の部分には、ケースに対して取付台のスイッチ設置部が上下方向に平行移動するのをガイドする凹凸からなるガイド部が設けられていることを特徴とする請求項３または４に記載の複合スイッチにある。
【発明の効果】
【００１１】
請求項１に記載の発明によれば、側部スイッチを設置する取付台自体を上下動自在とすることで取付台の下面側に設置した中央スイッチを押圧操作するので、部品点数が少なく、また簡単な構造で、組み立て容易且つ薄型化が図れる複合スイッチを提供できる。
【００１２】
請求項２に記載の発明によれば、取付台のスイッチ設置部を固定側部材に対して容易且つ簡単な構成で上下方向に平行移動させることができる。
【００１３】
請求項３に記載の発明によれば、キートップの軸部を簡単な構成で容易に揺動自在に軸支できる。
【００１４】
請求項４に記載の発明によれば、上下面が平面状のキートップの軸部が上側軸受部と下側軸受部に挟持されるので、キートップをフリーの状態（荷重をかけない状態）にした際に、キートップを自動的に左右に傾かない水平状態とさせておくことができる。またキートップの揺動中心軸より左右に少しずれた位置の上面を下方向に押圧した際でもキートップは傾くことなく、確実にこれを下方向に下降させることができ、従って側部スイッチが意に反して押圧される恐れもなくなる。
【００１５】
請求項５に記載の発明によれば、ケースと取付台を利用したガイド部によって、簡単な構造で容易に取付台のスイッチ設置部を確実に上下方向に平行移動させるようにすることができる。特にキートップの軸部の上下面を平面状にした場合は、キートップの揺動時にスイッチ設置部が傾こうとするが、これを防止することもできる。
【発明を実施するための最良の形態】
【００１６】
以下、本発明の実施形態を図面を参照して詳細に説明する。図１は本発明の１実施形態にかかる複合スイッチ１の斜視図、図２は複合スイッチ１の概略側断面図（図１のＥ−Ｅ線での断面図）、図３は複合スイッチ１を上側から見た分解斜視図（上側の部品）、図４は複合スイッチ１を上側から見た分解斜視図（下側の部品）、図５は複合スイッチ１を下側から見た分解斜視図（上側の部品）、図６は複合スイッチ１を下側から見た分解斜視図（下側の部品）である。これらの図に示すように複合スイッチ１は、基台１０上に、第１スイッチ回路基板４０と、押圧部材７０と、第２スイッチ回路基板１００と、取付台１３０と、第３スイッチ回路基板１７０と、キートップ２００と、ケース２３０とを設置して構成されている。以下各構成部品について説明する。なお以下の説明において、「上」とは取付台１３０からキートップ２００側を向く方向をいい、「下」とはその反対方向をいうものとする。
【００１７】
基台１０は合成樹脂を略長尺矩形の板状に成形して構成されており、その中央部分の上面は平面状の第１の基板載置部１１となっている。またその長手方向の両端はその面を上方向に持ち上げるように屈曲することで平板状のケース等取付部１３，１３としている。第１の基板載置部１１の上面の所定位置（一方のケース等取付部１３に偏っている位置）には上方向に向かって突出する一対の小突起からなる取付突起１５が設けられている。また両ケース等取付部１３，１３には、一対ずつ上下に貫通する小孔からなる係合部１７が設けられている。また図２，図６に示すように、第１の基板載置部１１の一方の端部であってこれに連続するケース等取付部１３の根元部分には、下記する第１スイッチ回路基板４０の引出部４５を挿通する寸法で水平方向に貫通する引出部挿通部１９が設けられている。なおこの実施形態においては基台１０を構成する合成樹脂としてＡＢＳ樹脂を用いているが、他の各種合成樹脂を用いても良い。
【００１８】
第１スイッチ回路基板４０は可撓性を有する合成樹脂フイルムを前記基台１０の第１の基板載置部１１上に載置できる寸法の略矩形状に形成してなるスイッチ基板本体部４１を具備し、このスイッチ基板本体部４１の略中央に第１中央スイッチ４３を設け、またその外周辺の内の前記基台１０の引出部挿通部１９に対向する辺に帯状の引出部４５を接続し、また長尺な側の対向する一対の辺にそれぞれ帯状の第２スイッチ回路基板連結部４７と第３スイッチ回路基板連結部４９とを接続して構成されている。
【００１９】
第１中央スイッチ４３は前記スイッチ基板本体部４１を構成する合成樹脂フイルム上に形成した図示しない一対の接点パターン上に弾性金属板を略ドーム形状に形成した反転板４３ａを取り付けて構成されている。反転板４３ａはその外周の少なくとも一部が一方の接点パターンに接触しており、もう一方の接点パターンが反転板４３ａの下面中央に所定の隙間を介して対向しており、反転板４３ａを押圧してこれを反転することで反転板４３ａの下面中央をこれに対向する接点パターンに当接して両接点パターン間をオンする構造に構成されている。なお第１中央スイッチ４３の構造はこの実施形態の構造に限定されず、例えば２枚の合成樹脂フイルムを重ね合わせて両合成樹脂フイルムにそれぞれ設けた一対の接点パターンを隙間を介して対向させ、一方の合成樹脂フイルムに設けた接点パターンの裏面側に反転板を設置することで構成されるいわゆるメンブレンスイッチで構成しても良い。
【００２０】
第２スイッチ回路基板連結部４７はスイッチ基板本体部４１の外周辺から外方に突出された後に１８０°折り返されてスイッチ基板本体部４１上に重畳され、さらにその先端部分を上方向に向けて略直角に折り曲げ、下記する第２スイッチ回路基板１００に連結されている。スイッチ基板本体部４１と第２スイッチ回路基板連結部４７の重畳されている部分には、両者を貫通する一対ずつの取付穴５１が設けられている。これら一対の取付穴５１は前記基台１０の一対の取付突起１５に対向する位置でこれら取付突起１５を挿入する寸法形状に形成されている。第３スイッチ回路基板連結部４９はスイッチ基板本体部４１の外周辺から上方向に向けて略直角に折り曲げられ、下記する第３スイッチ回路基板１７０に連結されている。
【００２１】
つまり第１，第２，第３スイッチ回路基板４０，１００，１７０は一枚の合成樹脂フイルムをそれぞれ第２，第３スイッチ回路基板連結部４７，４９によって連結して構成されており、第１，第２，第３スイッチ回路基板４０，１００，１７０の各スイッチ（第１中央スイッチ４３と下記する第２中央スイッチ１０７と一対の側部スイッチ１７５）の出力は前記引出部４５から引き出される。第１，第２，第３スイッチ回路基板４０，１００，１７０を構成する可撓性のある合成樹脂フイルムの材質としてこの実施形態ではポリエチレンテレフタレート（ＰＥＴ）フイルムを用いているが、熱可塑性、熱硬化性、光硬化性の他の各種可撓性を有する合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００２２】
押圧部材７０は合成樹脂製であり、略矩形状で平板状の第２の基板載置部７１と、略矩形状で平板状の押圧部材取付部７３と、前記第２の基板載置部７１と押圧部材取付部７３とを一体に連結する連結撓み部７５とを一体成形して構成されている。第２の基板載置部７１はその上面を平面状に形成すると共にその下面中央に下方向に突出する小突起からなる押圧部７７を設けて構成されている。押圧部材取付部７３は一対の上下に貫通する取付固定部７９を設け、またその下面の両取付固定部７９を囲む部分に凹部８１を設けて構成されている。これら一対の取付固定部７９は前記基台１０の一対の取付突起１５に対向する位置でこれら取付突起１５を挿入する寸法形状に形成されている。連結撓み部７５は２本並列に設置され、直線帯状で可撓性を有する程度に薄板状とされている。押圧部材７０の材質としてこの実施形態ではＡＢＳ樹脂を用いているが、他の各種合成樹脂を用いても良い。
【００２３】
第２スイッチ回路基板１００は可撓性を有する合成樹脂フイルムを前記押圧部材７０（第２の基板載置部７１と押圧部材取付部７３と連結撓み部７５とを含むその全体）の外形寸法形状と略同一の外形寸法形状に形成し、前記第２の基板載置部７１に対向するスイッチ基板部１０１と、押圧部材取付部７３に対向する取付部１０３と、連結撓み部７５に対向する連結部１０５とを具備して構成されている。スイッチ基板部１０１上面の略中央には第２中央スイッチ１０７が設けられ、また取付部１０３の一外周辺には帯状の前記第２スイッチ回路基板連結部４７が接続されている。
【００２４】
第２中央スイッチ１０７は、前記第１中央スイッチ４３と同一の構造であり、スイッチ基板部１０１を構成する合成樹脂フイルム上に形成した図示しない一対の接点パターン上に弾性金属板を略ドーム形状に形成した反転板１０７ａを取り付けて構成されている。第２中央スイッチ１０７の動作は前記第１中央スイッチ４３の動作と同じである。いわゆるメンブレンスイッチで構成しても良いことも同様である。また取付部１０３には一対の貫通する小孔からなる取付孔１０９が設けられている。これら一対の取付孔１０９は前記基台１０の一対の取付突起１５に対向する位置でこれら取付突起１５を挿入する寸法形状に形成されている。
【００２５】
取付台１３０は合成樹脂の一体成形品であってその全体が略平板矩形状であり、その中央のスイッチ設置部１３１の両端に連結部１３３を介して一対の取付部１３５を取り付けて構成されている。取付台１３０を構成する合成樹脂としてこの実施形態ではＡＢＳ樹脂を用いているが、他の各種合成樹脂を用いても良い。スイッチ設置部１３１は長尺な略矩形状（帯状）の平板形状であり、その下面中央には下方向に向かって突出する小突起状の押圧部１３７が設けられ、また取付部１３５を設置していない側の対向する両側辺の中央にはこれら両側辺から突出する一対のガイド部（以下「第１ガイド部」という）１３９が設けられている。第１ガイド部１３９は略矩形状であって上下方向に立設しており、スイッチ設置部１３１の上面から下方向に向かって突出するように形成され、上下方向に向かう左右の両辺は垂直で平行なガイド辺１４１となっている。第１ガイド部１３９の上辺の面は下側軸受部１４３であり、スイッチ設置部１３１の上面と同一の水平面となっており、その両端には上方向に向かう小突起状の軸保持部１４５が設けられている。また第１ガイド部１３９の下辺の面はストッパー部１４７となっている。
【００２６】
連結部１３３は上下方向に可撓性を有する程度に薄板帯状であってその長さを長く取れるように屈曲させて構成されている。取付部１３５は略矩形平板状であって前記基台１０のケース等取付部１３と下記するケース２３０の取付台取付部２３７の間に挟持されて取り付けられるものであり、その内部に上下に貫通する一対の挿通取付部１４９を設けている。これら挿通取付部１４９は下記するケース２３０の取付突部２３９に対向する位置に設けられ、これら取付突部２３９をぴったり挿入する寸法形状に形成されている。なお取付台１３０の上面は軸保持部１４５を除いて同一平面としている。
【００２７】
第３スイッチ回路基板１７０は連結部１７７で連結された２枚の可撓性を有する合成樹脂フイルムからなる第１，第２回路基板部１７１，１７３を重ね合せることでメンブレンスイッチからなる一対の側部スイッチ１７５を形成して構成されている。第３スイッチ回路基板１７０の外形形状は長尺矩形状であり、前記取付台１３０（スイッチ設置部１３１と連結部１３３と取付部１３５とを含むその全体）の外形寸法形状と略同一の外形寸法形状に形成されており、その両端に一対ずつ上下の第１，第２回路基板部１７１，１７３を貫通する小孔からなる挿通孔１７９が設けられている。これら挿通孔１７９は下記するケース２３０に設けた取付突部２３９に対向する位置に設けられ、これら取付突部２３９をぴったり挿入する寸法形状に形成されている。両側部スイッチ１７５は第１，第２回路基板部１７１，１７３を重ね合わせて両第１，第２回路基板部１７１，１７３にそれぞれ設けた一対の図示しない接点パターンを隙間を介して対向させることで構成されており、この実施形態では側部スイッチ１７５の上に反転板は設置していない。もちろん場合によっては反転板を設置しても良いし、反転板を設置する場合は前記第１中央スイッチ４３や第２中央スイッチ１０７のような１枚の合成樹脂フイルム上に形成されるスイッチとしても良い。
【００２８】
キートップ２００は合成樹脂の一体成形品であってその全体が略平板長尺矩形状であり、長尺な側の対向する両側辺の中央（キートップ２００の揺動中心軸Ｌ１の位置）からその幅方向に向けて一対の軸部２０１を突出して構成されている。軸部２０１は上下面が平面状であり全体として扁平形状となっている。キートップ２００を構成する合成樹脂としてこの実施形態ではＡＢＳ樹脂を用いているが、他の各種合成樹脂を用いても良い。またキートップ２００の下面の揺動中心軸Ｌ１を挟んでその両側には一対の小突起状の押圧部２０３，２０３が設けられている。
【００２９】
ケース２３０は合成樹脂の一体成形品であって下面が開放された略長尺矩形状の箱型に形成されており、上面部２３１と、上面部２３１の長手方向の両側辺から真下に向けて垂下される一対の側壁部２３３とを具備して構成されている。ケース２３０を構成する合成樹脂としてこの実施形態ではＡＢＳ樹脂を用いているが、他の各種合成樹脂を用いても良い。上面部２３１の中央には前記キートップ２００の上面全体を露出する内径寸法形状の開口２３５が設けられている。また上面部２３１の下面の長手方向の両端部近傍はそれぞれ平面状の取付台取付部２３７となっており、これら取付台取付部２３７から下方に向かって一対の突起状の取付突部２３９が突設されている。一方一対の側壁部２３３の内側面の中央部分には、上下方向に向かって略矩形凹状に切り欠かれその下端が側壁部２３３の下辺に至っているガイド部（以下「第２ガイド部」という）２４１が設けられている。第２ガイド部２４１の上端面（即ち上面部２３１の下面）は平面状の上側軸受部２４３となっており、また第２ガイド部２４１の左右両側辺はガイド受け辺２４５となっている。第２ガイド部２４１の幅寸法（両ガイド受け辺２４５間の距離）は前記取付台１３０の第１ガイド部１３９の幅寸法（両ガイド辺１４１間の距離）より若干大きい寸法となっており、第１ガイド部１３９が上下動自在に挿入できるように形成されている。
【００３０】
次に複合スイッチ１の組み立て方法を説明する。まず基台１０上に第１スイッチ回路基板４０と押圧部材７０と第２スイッチ回路基板１００とを載置する。このとき第１スイッチ回路基板４０と第２スイッチ回路基板１００は第２スイッチ回路基板連結部４７によって連結されているので、この第２スイッチ回路基板連結部４７を折り畳みながら第１スイッチ回路基板４０と第２スイッチ回路基板１００の間に押圧部材７０を配置することとなる。そして基台１０上に設けた一対の取付突起１５を第１スイッチ回路基板４０の取付穴５１と押圧部材７０の取付固定部７９と第２スイッチ回路基板１００の取付孔１０９とに挿入し、取付突起１５の先端を第２スイッチ回路基板１００上で熱かしめし、これによって基台１０上に第１スイッチ回路基板４０と押圧部材７０と第２スイッチ回路基板１００とを一体に取り付ける。このとき図２に示すように、第１中央スイッチ４３の反転板４３ａの上面中央に押圧部材７０の押圧部７７が当接（または接近して位置）する。またこのとき第１スイッチ回路基板４０の引出部４５は基台１０の引出部挿通部１９から基台１０の外部に引き出される。
【００３１】
次にケース２３０の下面側にキートップ２００と第３スイッチ回路基板１７０と取付台１３０とを設置し、その際ケース２３０の両第２ガイド部２４１内にキートップ２００の両軸部２０１と取付台１３０の両第１ガイド部１３９とを挿入し、同時にケース２３０の各取付突部２３９を第３スイッチ回路基板１７０の各挿通孔１７９と取付台１３０の各挿通取付部１４９に挿入する。そしてこのケース２３０を前記第１スイッチ回路基板４０などを取り付けた基台１０上に被せ、ケース２３０の前記各取付突部２３９の先端を基台１０の各係合部１７に挿入し、基台１０のケース等取付部１３の下面側で各取付突部２３９の先端を熱かしめすることでこれら各部材を一体にする。これによって複合スイッチ１の組み立てが完了する。
【００３２】
このとき図２に示すように、キートップ２００の上面はケース２３０の開口２３５内に露出し、キートップ２００の一対の押圧部２０３はそれぞれ取付台１３０上に載置した第３スイッチ回路基板１７０に設けた各側部スイッチ１７５上に当接（または接近して位置）し、取付台１３０下面の押圧部１３７は第２中央スイッチ１０７の反転板１０７ａの上面中央に当接（または接近して位置）する。
【００３３】
またこのときキートップ２００の両軸部２０１は、図７にその概略を示すように、平面状の上下面が、ケース２３０の上側軸受部２４３と取付台１３０の下側軸受部１４３に挟まれてそれぞれの面同士が当接し、これによってキートップ２００をフリーの状態（荷重をかけない状態）にした際に、キートップ２００は自動的に左右に傾かない水平状態の姿勢を維持することができる。またケース２３０の上側軸受部２４３を設けた第２ガイド部２４１と取付台１３０の下側軸受部１４３を設けた第１ガイド部１３９は、ケース２３０に対して取付台１３０のスイッチ設置部１３１が上下方向（図７の矢印Ａ方向）にのみ平行移動自在となるようにガイド辺１４１とガイド受け辺２４５が係合している。つまり第１，第２ガイド部１３９，２４１によってケース２３０に対して取付台１３０のスイッチ設置部１３１が上下方向に平行移動するのをガイドする凹凸からなるガイド部が構成されている。
【００３４】
なお上記複合スイッチ１の組立手順はその一例であり、他の各種異なる組立手順を用いて組み立てても良いことはいうまでもない。
【００３５】
次に複合スイッチ１の動作を説明する。まず図２に示すキートップ２００がフリーで水平の状態から、キートップ２００の向かって右側の上面を押圧すると（矢印Ｂ方向）、図８に示すように上側軸受部２４３と下側軸受部１４３の間に挟持されている軸部２０１がその揺動中心軸Ｌ１を中心にして揺動し、図２に示す向かって右側の押圧部２０３が下降してこれに対向する位置にある第３スイッチ回路基板１７０の側部スイッチ１７５が押圧されてオンする。このとき図８に示すように軸部２０１は少し傾き、そのため第１ガイド部１３９及びこれと一体の取付台１３０のスイッチ設置部１３１が少し下方に平行移動によって下降する。しかしながらこの下降寸法は短いので、図２に示すスイッチ設置部１３１の下面側にある第２，第１中央スイッチ１０７，４３がオンすることはない。なお図８に示すように軸部２０１の一端によって下側軸受部１４３の一端部分が押圧されると、スイッチ設置部１３１にはこれを傾けようとする力が働くが、第１，第２ガイド部１３９，２４１によってスイッチ設置部１３１は上下方向に平行移動するので、スイッチ設置部１３１が傾くことはない。そして前記キートップ２００への押圧を解除すると取付台１３０両側の連結部１３３の弾性復帰力によってスイッチ設置部１３１は元の位置に上昇して自動復帰し、その際再び図７に示すように軸部２０１の平面状の上下面が上側軸受部２４３と下側軸受部１４３に挟まれてそれらの面同士が当接するので、キートップ２００は自動的に左右に傾かない水平状態の姿勢に戻る。キートップ２００の図２に示す向かって左側の上面を押圧した場合も同様に動作する。
【００３６】
一方図２に示すようにキートップ２００がフリーで水平の状態からキートップ２００の中央部分の上面を押圧すると（矢印Ｃ方向）、図７において軸部２０１の下面が下側軸受部１４３を押圧し、これによって第１ガイド部１３９が第２ガイド部２４１内を下方向にスライド移動し、図２に示す取付台１３０のスイッチ設置部１３１及びキートップ２００は水平状態を保ったまま同時に下降して軸部２０１の部分は図９に示す状態となり、図２に示す取付台１３０の押圧部１３７が反転板１０７ａを押圧してこれを反転し、クリック感覚を生じながら第２中央スイッチ１０７がオンする。さらにキートップ２００の中央部分の上面を押圧していくと（矢印Ｃ方向）、軸部２０１の部分は図９に示す状態からさらに軸部２０１の下面が下側軸受部１４３を押圧し、これによって図１０に示すように第１ガイド部１３９が第２ガイド部２４１内をさらに下方向にスライド移動し、図２に示す取付台１３０のスイッチ設置部１３１及びキートップ２００は水平状態を保ったまま同時にさらに下降して取付台１３０の押圧部１３７が押圧部材７０の第２の基板載置部７１を押圧して連結撓み部７５が撓んで第２の基板載置部７１が下降（揺動）し、その押圧部７７が反転板４３ａを押圧してこれを反転し、クリック感覚を生じながら第１中央スイッチ４３がオンする。なおさらにキートップ２００を押圧しても、ストッパー部１４７が第１スイッチ回路基板４０上面に当接するので、オーバーストロークを防止できる。なお取付台１３０のスイッチ設置部１３１が下降する際は、水平状態を保つと記載したが、その両端が連結部１３３に連結されているので、スイッチ設置部１３１はその両端に対して中央部分が多少下方向に凸となるように撓む場合もあるが、その変形量は小さいので問題ない。なお以下の水平状態を用いた説明についても同様である。
【００３７】
ところで取付台１３０のスイッチ設置部１３１は固定側部材であるケース２３０に対して第１ガイド部１３９が第２ガイド部２４１内を上下方向にスライド移動することで確実に水平状態を保ったまま上下動するが、同時にキートップ２００の軸部２０１はその上下面が平面状なので例えキートップ２００の中央上面（回転中心軸Ｌ１の真上の面）から左右に僅かにずれた位置を押圧してもキートップ２００は取付台１３０のスイッチ設置部１３１に対して揺動することはなく、従って側部スイッチ１７５が意に反して押圧される恐れもない。
【００３８】
そして前記キートップ２００の中央部分の押圧を解除すると、前記押圧時の動作とは逆に、第２の基板載置部７１が上昇して反転板４３ａが元の状態に戻って第１中央スイッチ４３がオフし、スイッチ設置部１３１が上昇して反転板１０７ａが元の状態に戻って第２中央スイッチ１０７がオフし、キートップ２００は元の図２に示すフリーの状態に戻る。
【００３９】
以上説明したように複合スイッチ１は、両端が固定側部材であるケース２３０及び基台１０に取り付けられ且つ中央のスイッチ設置部１３１が固定側部材（ケース２３０及び基台１０）に対して上下動自在に設置される取付台１３０と、スイッチ設置部１３１の両端側上面に設置される第３スイッチ回路基板１７０の側部スイッチ１７５と、スイッチ設置部１３１の中央下面側に配置される第１，第２中央スイッチ４３，１０７と、揺動自在に取付台１３０上方に配置されるキートップ２００とを有し、キートップ２００が揺動した際は側部スイッチ１７５を押圧し、またキートップ２００と共に取付台１３０のスイッチ設置部１３１を下降した際は第１，第２中央スイッチ４３，１０７を押圧するように構成されている。つまり側部スイッチ１７５を取り付ける取付台１３０のスイッチ設置部１３１自体を用いて第１，第２中央スイッチ４３，１０７を押圧操作するので、部品点数が少なく、また簡単な構造で、組み立て容易且つ薄型化が図れる複合スイッチ１を提供できる。
【００４０】
また取付台１３０は、中央のスイッチ設置部１３１の両端に上下方向に可撓性を有する薄板帯状の連結部１３３を介して固定側部材に取り付けられる取付部１３５が設けられており、これによって両取付部１３５に対してスイッチ設置部１３１を上下動自在としているので、取付台１３０のスイッチ設置部１３１を固定側部材に対して容易且つ簡単な構成で上下方向に平行移動（多少撓む場合も含む）させることができる。またキートップ２００の両側辺の揺動中心軸Ｌ１の位置から突出する軸部２０１をケース２３０に設けた上側軸受部２４３と取付台１３０に設けた下側軸受部１４３の間に挟んで設置することでキートップ２００を揺動自在に保持したので、キートップ２００の軸部２０１を簡単な構成で容易に揺動自在に軸支できる。さらにこの実施形態ではキートップ２００の軸部２０１の上下面を平面状として、これら上下面を上側軸受部２４３と下側軸受部１４３で挟んだので、キートップ２００をフリーの状態（荷重をかけない状態）にした際にキートップ２００を自動的に左右に傾かない水平状態とさせておくことができるばかりか、キートップ２００の揺動中心軸Ｌ１より左右に少しずれた位置の上面を下方向に押圧した際でもキートップ２００は傾くことなく、確実にこれを下方向に下降させることができ、従って側部スイッチ１７５が意に反して押圧される恐れもなくなる。またケース２３０の上側軸受部２４３と取付台１３０の下側軸受部１４３の部分にケース２３０に対して取付台１３０のスイッチ設置部１３１が上下方向に移動するのをガイドする凹凸からなるガイド部（第１，第２ガイド部）１３９，２４１を設けたので、ケース２３０と取付台１３０を利用したガイド部によって、簡単な構造で容易に取付台１３０を確実に上下方向に平行移動させるようにすることができる。特にキートップ２００の軸部２０１の上下面を平面状にしているので、キートップ２００の揺動時（図８の状態のとき）に取付台１３０のスイッチ設置部１３１が傾こうとするが、これを防止することもできる。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では取付台１３０の両端を固定する固定側部材としてケース２３０と基台１０とを用いたが、ケース２３０と基台１０の内の何れか一方の部品のみに固定しても良いし、ケース２３０と基台１０以外の各種固定側部材に固定しても良い。また上記実施形態では両端に設けた連結部１３３及び取付部１３５によって中央のスイッチ設置部１３１を固定側部材に対して上下動自在に設置したが、連結部１３３及び取付部１３５は１ヶ所または３ヶ所以上に設けてもよい。
【００４２】
また上記実施形態では側部スイッチ１７５を第３スイッチ回路基板１７０に設けたが、スイッチ設置部１３１を硬質回路基板で構成してこれに直接側部スイッチ１７５を設けても良い。また上記実施形態では第３スイッチ回路基板１７０を可撓性を有する合成樹脂フイルムによって構成したが、硬質基板によって構成しても良い。また上記実施形態では中央スイッチとして第１，第２中央スイッチ（２段押圧型中央スイッチ）４３，１０７を設けたが、何れか一方を省略した１つの中央スイッチで構成しても良い。また上記実施形態ではキートップ２００の一対の軸部２０１の両方の上下面を平面状に形成したが、一方の軸部のみの上下面を平面状に形成してもよい。また上記実施形態ではガイド部として凸状の第１ガイド部１３９と凹状の第２ガイド部２４１とを用いたが、第１ガイド部１３９を凹状とし、第２ガイド部２４１を凸状としても良い。
【図面の簡単な説明】
【００４３】
【図１】複合スイッチ１の斜視図である。
【図２】複合スイッチ１の概略側断面図（図１のＥ−Ｅ線での断面図）である。
【図３】複合スイッチ１を上側から見た分解斜視図（上側の部品）である。
【図４】複合スイッチ１を上側から見た分解斜視図（下側の部品）である。
【図５】複合スイッチ１を下側から見た分解斜視図（上側の部品）である。
【図６】複合スイッチ１を下側から見た分解斜視図（下側の部品）である。
【図７】軸部２０１周囲の状態を示す拡大概略図である。
【図８】軸部２０１周囲の動作状態を示す拡大概略図である。
【図９】軸部２０１周囲の動作状態を示す拡大概略図である。
【図１０】軸部２０１周囲の動作状態を示す拡大概略図である。
【符号の説明】
【００４４】
１  複合スイッチ
１０  基台（固定側部材）
４０  第１スイッチ回路基板
４３  第１中央スイッチ（中央スイッチ）
７０  押圧部材
１００  第２スイッチ回路基板
１０７  第２中央スイッチ（中央スイッチ）
１３０  取付台
１３１  スイッチ設置部
１３３  連結部
１３５  取付部
１３９  第１ガイド部（ガイド部）
１４３  下側軸受部
１７０  第３スイッチ回路基板
１７５  側部スイッチ
２００  キートップ
２０１  軸部
Ｌ１  揺動中心軸
２３０  ケース（固定側部材）
２３５  開口
２４１  第２ガイド部（ガイド部）
２４３  上側軸受部
【図１】
2009238503.tif 000003
【図２】
2009238503.tif 000004
【図３】
2009238503.tif 000005
【図４】
2009238503.tif 000006
【図５】
2009238503.tif 000007
【図６】
2009238503.tif 000008
【図７】
2009238503.tif 000009
【図８】
2009238503.tif 000010
【図９】
2009238503.tif 000011
【図１０】
2009238503.tif 000012